(57)【要約】【課題】柔軟かつ効率的に通信先アドレスの変更管理を可能とする通信先アドレス管理システムおよび通信先アドレス管理方法を提供する。【解決手段】第１の通信ノード１では、送信データ記憶装置４で送りたいデータを保持し、通信先アドレス記憶装置８が送信データの宛先ＩＰアドレスを保持し、通信先アドレス変更指示装置１０が通信先アドレス変更の必要性を判断し指示を出し、通信先アドレス指定装置９が宛先ＩＰアドレスを与え保持したデータを送信する。第２の通信ノード２では、自己ＩＰアドレスを保持し、データを受信して保持し、第１の通信ノード１から送られた変更指示を受付けて保持する自己ＩＰアドレスを変更する。通信ノード１および通信ノード２間の通信において、自己ＩＰアドレス変更を行なうことでネットワークアドレスを一致させ、通信ノードの通信先アドレスを動的に変更しても接続を可能とする。【選択図】　　　　図１
2004040419.tif 000002
【特許請求の範囲】
【請求項１】
送りたいデータを保持する送信データ記憶装置、該データを送信する送信装置、送信データの宛先ＩＰアドレスを保持する通信先アドレス記憶装置、前記送信装置に対して宛先ＩＰアドレスを与える通信先アドレス指定装置、および通信先アドレス変更の必要性を判断し指示を出す通信先アドレス変更指示装置を有する第１の通信ノードと、
前記データを受信する受信装置、該受信し受取ったデータを保持する受信データ記憶装置、前記第１の通信ノードの通信先アドレス変更指示装置から送られた指示を受付ける通信先アドレス変更指示受付装置、および前記受信装置が持つ自己ＩＰアドレスを変更する通信先アドレス変更装置を有する第２の通信ノードとを備え、
前記通信先アドレス記憶装置で前記送信装置の自己ＩＰアドレスを保持し、前記通信先アドレス指定装置で前記送信装置の自己ＩＰアドレス変更を行なうことで前記送信装置と前記受信装置との間の通信におけるネットワークアドレスを一致させる機能を構成し、
前記第１の通信ノードと前記第２の通信ノード間の接続アドレスを動的に変更可能としたことを特徴とする通信先アドレス管理システム。
【請求項２】
前記通信先アドレス記憶装置は、現在有効な宛先ＩＰアドレスを保持する現在通信先アドレス記憶部と、履歴として過去に有効であった宛先ＩＰアドレスを保持する過去通信先アドレス記憶部とを備えて構成されたことを特徴とする請求項１記載の通信先アドレス管理システム。
【請求項３】
前記第１の通信ノードおよび第２の通信ノードの少なくとも１つは、ＴＣＰ／ＩＰ通信機能を有するコンピュータ装置であることを特徴とする請求項１または２記載の通信先アドレス管理システム。
【請求項４】
第１の通信ノードでは、送りたいデータを保持し、送信データの宛先ＩＰアドレスを保持し、通信先アドレス変更の必要性を判断し指示を出し、宛先ＩＰアドレスを与え前記保持したデータを送信し、
第２の通信ノード２で自己ＩＰアドレスを保持し、前記データを受信して保持し、前記第１の通信ノードから送られた変更指示を受付けて前記保持する自己ＩＰアドレスを変更し、
前記第１の通信ノードと前記第２の通信ノードとの間の通信において前記自己ＩＰアドレス変更を行なうことでネットワークアドレスを一致させ、
前記第１の通信ノードと前記第２の通信ノード間の接続アドレスを動的に変更可能としたことを特徴とする通信先アドレス管理方法。
【請求項５】
前記第１の通信ノードでの送信データの宛先ＩＰアドレスの保持は、現在有効な宛先ＩＰアドレスの保持と、履歴として過去に有効であった宛先ＩＰアドレスの保持とを含むことを特徴とする請求項４記載の通信先アドレス管理方法。
【請求項６】
前記データの送受信は、ＴＣＰ／ＩＰ通信により行うことを特徴とする請求項４または５記載の通信先アドレス管理方法。
【発明の詳細な説明】
【０００１】
【発明の属する技術分野】
本発明は、通信先アドレス管理システムおよび通信先アドレス管理方法に関し、たとえば、通信ネットワーク上でのアドレスの変更管理を柔軟且つ効率的に実行する通信先アドレス管理システムおよび通信先アドレス管理方法に関する。
【０００２】
【従来の技術】
従来、通信先アドレス管理システムおよび通信先アドレス管理方法は、たとえば、通信ネットワークにおいて適用される。局所的な通信ネットワークで接続された複数の通信ノードから構成された複合端末を各地に多数設置する場合は、この複合端末が設置先に設置された直後に設置先において通信先アドレスを本来の通信先アドレスに設定することによって、ホストコンピュータや監視端末との通信を行なえるような方式としている。
【０００３】
本発明と技術分野の類似する先願発明例１として、特開２０００−４１３２９号公報の「保護継電装置」がある。本先願発明例１では、ＩＰアドレスを管理・保管するＣＰＵボードと、ＩＰアドレスを仮保管しパソコンと結合するイーサーネットボードとを設け、パソコンはイーサーネットボードを介してＣＰＵボードのＩＰアドレスを変更し、イーサーネットボードはパソコンとの新規のＩＰアドレスとし、ＣＰＵボードからＩＰアドレスの強制変更指令を受信したときに既知のＩＰアドレスへ変更するようにしている。これにより、稼働状態のまま、ＩＰアドレスを変更可能としている。
【０００４】
先願発明例２の特開昭６０−２４６１５１号公報の「データ伝送方式」では、複数のノード郡より構成されるグループアドレスを動的に生成消滅させ、グループアドレスを動的に変更可能としている。
【０００５】
先願発明例３の特開平１０−２７６２１７号公報の「車両ＬＡＮ端末ＩＰアドレス自動設定方式」では、複数のＬＡＮ端末からの要求に応答して、車両の在線時間を基に、有効期間を指定したＩＰアドレスを割り付ける車両ＬＡＮ端末の、ＩＰアドレス自動設定を図っている。
【０００６】
【発明が解決しようとする課題】
しかしながら、上記従来技術には、次のような問題点を伴う。
第１の問題点は、複合端末に対する本来の通信先アドレス設定のために設置先に赴かなければならず、時間や労力が必要となることである。
【０００７】
その理由は、複合端末がホストコンピュータや監視端末との通信を行なうためには、複合端末に対して通信先アドレスの設定が必要である。このため、通信ネットワークの構成によっては同一の通信先アドレス設定でも通信可能な場合もあるが、通信ネットワークがインターネット等の場合においては複合端末それぞれ個別の通信先アドレスの設定が必要になるからである。
【０００８】
また、複合端末を設置先に運ぶ前に一個所に集めて集中的に通信先アドレス設定を行なう方法も考えられるが、その場合でも複合端末それぞれ個別の通信先アドレスを設定する必要があり、更に個別の通信先アドレスが設定された複合、端末を設置先に運ぶ時のために設置先別の輸送先管理が必要となり、同様に時間や労力が必要となる。
【０００９】
第２の問題点は、複合端末に対する本来の通信先アドレスを設定する時に設定誤りを侵す可能性が高くなることである。その理由は、複合端末それぞれに個別の通信先アドレスを設定するために、設定作業の共通化が図れず、結果として設定誤りを侵す確率が高くなるからである。
【００１０】
本願発明と技術的に近似していると目される上記先願発明例２の特開昭６０−２４６１５１号公報の「データ伝送方式」では、複数のノード郡より構成されるグループアドレスを動的に変更可能としたものであり、本願発明が個別ノードに対応している点において相違している。
【００１１】
本発明は、通信ノードの通信先アドレスを動的に変更しても通信ノード間の接続を行なうことができる通信先アドレス管理システムおよび通信先アドレス管理方法を提供することを目的とする。
【００１２】
より詳細には、それぞれ通信先アドレスを持った通信ノードが通信ネットワークを介して相互接続される情報通信システムにおいて、通信ノードの通信先アドレスを動的に変更しても現在の通信先アドレスを見失うことなく、通信ノード間の接続を行なうことができる通信先アドレス管理システムおよび通信先アドレス管理方法を提供することを目的とする。
【００１３】
【課題を解決するための手段】
かかる目的を達成するため、請求項１記載の発明の通信先アドレス管理システムは、送りたいデータを保持する送信データ記憶装置、データを送信する送信装置、送信データの宛先ＩＰアドレスを保持する通信先アドレス記憶装置、送信装置に対して宛先ＩＰアドレスを与える通信先アドレス指定装置、および通信先アドレス変更の必要性を判断し指示を出す通信先アドレス変更指示装置を有する第１の通信ノードと、データを受信する受信装置、受信し受取ったデータを保持する受信データ記憶装置、第１の通信ノードの通信先アドレス変更指示装置から送られた指示を受付ける通信先アドレス変更指示受付装置、および受信装置が持つ自己ＩＰアドレスを変更する通信先アドレス変更装置を有する第２の通信ノードとを備え、通信先アドレス記憶装置は送信装置の自己ＩＰアドレスを保持し、通信先アドレス指定装置で送信装置の自己ＩＰアドレス変更を行なうことで送信装置と受信装置との間の通信におけるネットワークアドレスを一致させる機能を構成し、第１の通信ノードと第２の通信ノード間の接続アドレスを動的に変更可能としたことを特徴としている。
【００１４】
上記の通信先アドレス記憶装置は、現在有効な宛先ＩＰアドレスを保持する現在通信先アドレス記憶部と、履歴として過去に有効であった宛先ＩＰアドレスを保持する過去通信先アドレス記憶部とを備えて構成され、第１の通信ノードおよび第２の通信ノードの少なくとも１つは、ＴＣＰ／ＩＰ通信機能を有するコンピュータ装置であるとするとよい。
【００１５】
請求項４記載の発明の通信先アドレス管理方法は、第１の通信ノードでは、送りたいデータを保持し、送信データの宛先ＩＰアドレスを保持し、通信先アドレス変更の必要性を判断し指示を出し、宛先ＩＰアドレスを与え保持したデータを送信し、第２の通信ノードでは、自己ＩＰアドレスを保持し、データを受信して保持し、第１の通信ノードから送られた変更指示を受付けて保持する自己ＩＰアドレスを変更し、第１の通信ノードと第２の通信ノードとの間の通信において自己ＩＰアドレス変更を行なうことでネットワークアドレスを一致させ、第１の通信ノードと第２の通信ノード間の接続アドレスを動的に変更可能としたことを特徴としている。
【００１６】
また、上記第１の通信ノードでの送信データの宛先ＩＰアドレスの保持は、現在有効な宛先ＩＰアドレスの保持と、履歴として過去に有効であった宛先ＩＰアドレスの保持とを含み、データの送受信は、ＴＣＰ／ＩＰ通信により行うとよい。
【００１７】
【発明の実施の形態】
次に、添付図面を参照して本発明による通信先アドレス管理システムおよび通信先アドレス管理方法の実施の形態を詳細に説明する。図１から図３を参照すると、本発明の通信先アドレス管理システムおよび通信先アドレス管理方法の一実施形態が示されている。図１は通信先アドレス管理システムの実施例の構成例を示すブロック図、図２は通信先アドレス管理方法の動作手順例を示すフローチャート、図３は図２中のステップＡ４をより詳細に示したフローチャートである。
【００１８】
（構成例）
図１を参照すると、本実施例の通信先アドレス管理システムは、プログラム制御により動作するＴＣＰ／ＩＰ（Ｔｒａｎｓｍｉｓｓｉｏｎ　Ｃｏｎｔｒｏｌ　Ｐｒｏｔｏｃｏｌ／Ｉｎｔｅｒｎｅｔ　Ｐｒｏｔｏｃｏｌ　）通信機能を持ったパーソナルコンピュータである第１の通信ノード１と、複合機能装置である第２の通信ノード２とが、イーサネット（登録商標）方式のローカルエリアネットワークである通信ネットワーク３を介して相互に接続することでシステム構成されている。
【００１９】
第１の通信ノード１は、ＴＣＰ／ＩＰ通信で送りたいデータを保持する送信データ記憶装置４と、ＴＣＰ／ＩＰ通信でデータを送信する送信装置５と、送信データの宛先ＩＰアドレスを保持する通信先アドレス記憶装置８と、送信装置５に対して宛先ＩＰアドレスを与える通信先アドレス指定装置９と、通信先アドレス変更の必要性を判断し指示を出す通信先アドレス変更指示発生装置１０とを有する。
【００２０】
通信先アドレス記憶装置８は、現在有効な宛先ＩＰアドレスを保持する現在通信先アドレス記憶部８１と、履歴として過去に有効であった宛先ＩＰアドレスを保持する過去通信先アドレス記憶部８２とを有する。
【００２１】
第２の通信ノード２は、ＴＣＰ／ＩＰ通信でデータを受信する受信装置６と、ＴＣＰ／ＩＰ通信で受取ったデータを保持する受信データ記憶装置７と、第１の通信ノード１の通信先アドレス変更指示装置１０から送られた指示を受付ける通信先アドレス変更指示受付装置１１と、受信装置６が持つ自己ＩＰアドレスを変更する通信先アドレス変更装置１２とを有する。
【００２２】
なお、図１では図示を省略しているが、実際には通信先アドレス記憶装置８には送信装置５の自己ＩＰアドレスも保持し、通信先アドレス指定装置９には送信装置５の自己ＩＰアドレス変更も行なうことで、送信装置５と受信装置６とのネットワークアドレスを一致させる機能も含まれている。
【００２３】
（動作例）
次に、図１のブロック図及び図２のフローチャートを参照して本実施例の全体の動作について詳細に説明する。
まず、通信先アドレス指定装置９は、通信先アドレス記憶装置８の現在通信先アドレス記憶部８１から通信相手先である受信装置６で現在有効になっている通信先アドレスを読込み（ステップＡ１）、それを送信装置５に現在通信先アドレスとして設定をする（ステップＡ２）。
【００２４】
送信データ記憶装置４は通信相手先に送る送信データを送信装置５に設定する（ステップＡ３）。送信データが設定された送信装置５は、通信先アドレス指定装置９から渡された通信先アドレスを通信の相手先として、送信データ記憶装置４から渡された送信データを送信する（ステップＡ４）。
【００２５】
受信装置６は、現在有効になっている自分自身の通信先アドレスに対して送られたデータを受信する（ステップＢ１）。受信装置６は、受信したデータを受信データ記憶装置７に格納し保存する（ステップＢ２）。
【００２６】
通信先アドレス変更指示発生装置１０が受信装置６の通信先アドレス変更が必要であると判断しない場合は（ステップＡ９／不要、ステップＢ６／指示無し）、図２のステップＡ３とステップＡ４及びステップＢ１とステップＢ２を繰返し実行し、データ通信が継続される。
【００２７】
通信先アドレス変更指示発生装置１０が受信装置６の通信先アドレス変更が必要であると判断した場合は（ステップＡ９／要）、通信先アドレス変更指示発生装置１０は送信装置５に対して、受信装置６の新しい通信先アドレスが入った通信先アドレス変更指示データを渡す（ステップＡ５）。送信装置５は、以前通信先アドレス指定装置９から渡されていた通信先アドレスを通信の相手先として、通信先アドレス変更指示発生装置１０から渡された通信先アドレス変更指示データを送信する（ステップＡ６）。
【００２８】
通信先アドレス変更指示発生装置１０は、通信先アドレス記憶装置８に対して受信装置６の新しい通信先アドレスを渡す。すると、通信先アドレス記憶装置８は、現在通信先アドレス記憶部８１のデータを過去通信先アドレス記憶部８２に待避し（ステップＡ７）、通信先アドレス変更指示発生装置１０から渡された受信装置６の新しい通信先アドレスで現在通信先アドレス記憶部８１の内容を更新する（ステップＡ８）。
【００２９】
受信装置６が受信したデータが通信先アドレス変更指示であれば（ステップＢ６／指示有り）、受信装置６はその指示データ通信先アドレス変更指示受付装置１１に設定させる（ステップＢ３）。通信先アドレス変更指示受付装置１１は、通信先アドレス変更指示に含まれる新しい通信先アドレスを通信先アドレス変更装置１２に設定する（ステップＢ４）。これにより、通信先アドレス変更装置１２は、新しい通信先アドレスを、受信装置６の新たに有効となる通信先アドレスとして受信装置６に設定する（ステップＢ５）。
【００３０】
その後送信装置５は通信相手である受信装置６にデータが届くようにする。このために、通信先アドレス指定装置９は、通信先アドレス記憶装置８の現在通信先アドレス記憶部８１から通信相手先である受信装置６で現在有効になっている通信先アドレスを読込み（ステップＡ１）、それを送信装置５に設定する（ステップＡ２）。
【００３１】
送信データ記憶装置４は、通信相手先に送るデータを送信装置５に設定する（ステップＡ３）。送信装置５は、通信先アドレス指定装置９から渡された通信先アドレスを通信の相手先として、送信データ記憶装置４から渡されたデータを送信する（ステップＡ４）。
【００３２】
受信装置６は、現在有効になっている自分自身の通信先アドレスに対して送られたデータを受信し（ステップＢ１）、受信したデータを受信データ記憶装置７に格納する（ステップＢ２）。
以上のステップを繰り返し、新しい通信先アドレスによる通信が継続される。
【００３３】
図１において、第１の通信ノード１は、通信ネットワーク３を介して第２の通信ノード２と相互接続された情報通信システムとして構成される。本システムにおいて、送信データ記憶装置１のデータを送信装置５から受信装置６に送り受信データ記憶装置７に格納する。送信装置５は、通信相手である受信装置６にデータが届くようにするために、通信先アドレス記憶装置８に保持されている受信装置６が現在持っている通信先アドレスを通信先アドレス指定装置９が読込み、送信装置５に対して指定する。受信装置６は、自分自身が現在持っている通信先アドレスに対して届けられたデータを受取ることにより、第１の通信ノード１と第２の通信ノード２との接続が成立する。
【００３４】
ここで、通信先アドレス変更指示発生装置１０より受信装置６の通信先アドレス変更指示が出された場合は、その指示は送信装置５から受信装置６を経由し通信先アドレス変更指示受付装置１１に届けられ、通信先アドレス変更装置１２によって受信装置６が現在持っている通信先アドレスの変更がなされる。同時に通信先アドレス変更指示発生装置１０は、通信先アドレス記憶装置８に対して受信装置６が新しく持った通信先アドレスの書込みを行なう。この時通信先アドレス記憶装置８は、受信装置６が以前持っていた通信先アドレスも履歴として保持する。
【００３５】
その後送信装置５は、通信相手である受信装置６にデータが届くようにするために、通信先アドレス記憶装置８に保持されている受信装置６が新しく持った通信先アドレスを、通信先アドレス指定装置９が読込み送信装置５に対して指定する。受信装置６は、先に変更された新しい通信先アドレスに対応して、届けられたデータを受取る。このことにより、第１の通信ノード１と第２の通信ノード２との接続が成立する。
【００３６】
このようにして、通信ノードの通信先アドレスを動的に変更しても現在の通信先アドレスを見失うことなく、通信ノード間の接続を可能にする。
【００３７】
（効果）
第１の効果は、局所的な通信ネットワークで接続された複数の通信ノードから構成された複合端末を各地に多数設置する場合において、その複合端末の通信先アドレスの初期設定作業を共通化する。このことによってアドレス初期設定作業の省力化を図り、複合端末が設置先に設置されてから遠隔通信にて本来の通信先アドレスに変更することが自在にできることにある。
【００３８】
その理由は、設置先に最初に設置された複合端末は、その通信先アドレスが共通作業で設定された既知の初期通信先アドレスとなっており、遠隔通信で複合端末を監視制御する監視端末から、設置直後の複合端末に対して通信先アドレス変更指示を送信することが可能であるためである。このため、通信先アドレス変更指示を受信して、複合端末が本来の通信先アドレスに変更された後でも、監視端末との通信を継続することが可能となる。
【００３９】
第２の効果は、データ通信の合間で随時通信先アドレスを変更することにより不正な通信傍受を困難にすることである。その理由は、一定の時間間隔または何らかのタイミングで通信先アドレス変更指示を出すことによって、随時通信先アドレスを変更しつつ通信を継続することができるためである。
【００４０】
（他の実施例）
次に、本発明の他の実施例について図面を参照して詳細に説明する。
図３を参照すると、本実施例は、図２の手順に対して一時的通信障害発生時の回復機能が追加されており、図２のステップＡ４に対する追加手順を表している。
【００４１】
もし通信先アドレス変更指示の送信が一時的通信障害発生等が原因で失敗した場合は、現在通信先アドレス記憶部８１には新しい通信先アドレスが格納されている。しかし、受信装置６の通信先アドレスは新しい通信先アドレスに変更されていない状態となり、このままでは通信を継続することが不可能になるという問題がある。本他の実施例では、この問題を図３に示す手順により解決している。本構成の内容を以下に詳述する。
【００４２】
まず、送信装置５の送信が行われ（ステップＣ１）、もし送信が失敗した場合は（ステップＣ４／失敗）、過去通信先アドレス記憶部８２に待避されている以前使われていた受信装置６の通信先アドレスを読み取り、送信装置５に再設定し（ステップＣ２）、再度送信を行なう（ステップＣ３）。
【００４３】
もし通信先アドレス変更指示の送信が失敗した場合等で、受信装置６の通信先アドレスが新しくなっていなければ、受信装置６の通信先アドレスは以前の通信先アドレスのままである。このため、正しく送信が行なわれ（ステップＣ５／成功）、通信は正常に終了する。但し、送信が不成功であれば（ステップＣ５／失敗）、通信は異常終了する。
【００４４】
また応用例としての別の実施例においては、図１の通信先アドレス記憶装置８を二重化し、通信ノードのハードウェア障害時においても現在有効な通信先アドレスを消失させてしまわないような工夫を行なう。
【００４５】
（具体例）
上記実施例のより具体的な一例として以下に説明する。以下に記述する具体例は、ＡＴＭ（ａｕｔｏｍａｔｉｃ　ｔｅｌｌｅｒ　ｍａｃｈｉｎｅ／現金自動入出機）の管理における例である。
【００４６】
図１における第１の通信ノードはＡＴＭ（端末機器）を管理する管理コンピュータであり、第２の通信ノード２は所定の場所に設置された複数のＡＴＭとする。このＡＴＭは、複数の設置場所に設置され、各設置場所には１台以上のＡＴＭが設置されているものとする。
【００４７】
上記のシステム構成において、ＡＴＭは運用のために設置場所への出荷時に、管理のための初期ＩＴアドレスが設定される。この初期ＩＴアドレスは、ＡＴＭ機器そのものを管理するためのものであり、例えば、機器としての製品シリアル番号を含む番号である。
【００４８】
ＡＴＭは目的の設置場所へ設置され第２の通信ノード２となり、通信ネットワーク３を介して第１の通信ノード１との通信が可能となる。新たに設置されたＡＴＭは、第１の通信ノード１と通信接続され、管理のための新たな通信先アドレスが与えられる。この新たな通信先アドレスは、設置場所、この設置場所における複数台の機器中の識別符号、運用履歴等を管理可能とするアドレスである。これにより、第２の通信ノード３の、履歴、経歴、機器状態、運用実績等を含む各種の情報管理が、容易となる。
【００４９】
なお、上述の実施形態は本発明の好適な実施の一例である。ただし、これに限定されるものではなく、本発明の要旨を逸脱しない範囲内において種々変形実施が可能である。
【００５０】
【発明の効果】
以上の説明より明らかなように、本発明の通信先アドレス管理システムおよび通信先アドレス管理方法は、第１の通信ノードで、送りたいデータを保持し、送信データの宛先ＩＰアドレスを保持し、通信先アドレス変更の必要性を判断し指示を出し、宛先ＩＰアドレスを与え保持したデータを送信し、第２の通信ノードで、自己ＩＰアドレスを保持し、データを受信して保持し、第１の通信ノードから送られた変更指示を受付けて保持する自己ＩＰアドレスを変更する。これにより、第１の通信ノードと第２の通信ノードとの間の通信において、自己ＩＰアドレス変更を行なうことでネットワークアドレスを一致させる。よって、通信ノードの通信先アドレスを動的に変更しても、第１の通信ノードと第２の通信ノード間の接続を可能とする。
【図面の簡単な説明】
【図１】本発明の通信先アドレス管理システムおよび通信先アドレス管理方法の実施形態に適用される、通信先アドレス管理システムの構成例を示すブロック図である。
【図２】通信先アドレス管理方法の動作手順例を示すフローチャートである。
【図３】図２のステップＡ４をより詳細に示したフローチャートである。
【符号の説明】
１　第１の通信ノード
２　第２の通信ノード
３　通信ネットワーク
４　送信データ記憶装置
５　送信装置
６　受信装置
７　受信データ記憶装置
８　通信先アドレス記憶装置
９　通信先アドレス指定装置
１０　通信先アドレス変更指示発生装置
１１　通信先アドレス変更指示受付装置
１２　通信先アドレス変更装置
８１　現在通信先アドレス記憶部
８２　過去通信先アドレス記憶部
【図１】
2004040419.tif 000003
【図２】
2004040419.tif 000004
【図３】
2004040419.tif 000005